(57)【要約】      （修正有）【課題】服飾の機能性及び質感を高め、製品の付加価値を向上させる感知式服飾を提供する。【解決手段】感知式服飾は、服飾１、感光層２及び温度感知層３及び蛍光層を含む。該服飾の外表層１１の適する位置には温度感知層３、蛍光層及び感光層２を設置し、感光層２は異なる的光線強度を感知し、紫外線が高い時に警告情報を出す。温度感知層３は一種類以上の任意の色を具え、異なる臨界温度の変化に従って異なる色を表示し、温度の変化を知る。更に該蛍光層が光源を吸収して発光し、暗室もしくは夜間には図案の色彩が発光する。【選択図】図４
0003148125.tif 000002
【実用新案登録請求の範囲】
【請求項１】
服飾及び感光層を含む感知式服飾において、
該服飾の外表層の適する位置に一層の感光剤で形成した感光層を設置し、該感光層には一種類以上の任意の色を設置し、異なる光線強度の変化に従って異なる色を表示することを特徴とする感知式服飾。
【請求項２】
服飾、感光層及び温度感知層を含む一種の感知式服飾について、
該服飾の外表層の適する位置に一層の感光剤で形成した感光層を設置し、該感光層には一種類以上の任意の色を設置し、光線強度の変化に従って異なる色を表示し、及び
該服飾の外表層の適する位置には一層の温度感知剤で形成した温度感知層を設置し、該温度感知層には一種類以上の任意の色を設置し、異なる臨界温度変化に従って異なる色を表示することを特徴とする感知式服飾。
【請求項３】
服飾、感光層及び蛍光層を含む一種の感知式服飾において、
該服飾の外表層の適する位置には一層の感光剤で形成した感光層を設置し、該感光層には一種類以上の任意の色を設置し、異なる光線強度の変化に従って異なる色を表示し、及び、
該服飾の外表層の適する位置には一層の蛍光剤で形成した蛍光層を設置し、蛍光剤が光を吸収して該蛍光層が発光することを特徴とする感知式服飾。
【請求項４】
服飾及び温度感知層を含む一種のセンサー服飾において、
該服飾の外表層の適する位置には一層の温度感知剤で形成した温度感知層を設置し、該温度感知層には一種類以上の任意の色を設置し、異なる臨界温度変化に従って異なる色を表示することを特徴とする感知式服飾。
【請求項５】
服飾、温度感知層及び蛍光層を設置する一種の感知式服飾において、 
該服飾の外表層の適する位置に一層の温度感知剤で形成した温度感知層を設置し、その温度感知層は一種類以上の任意の色を具え、異なる臨界温度の変化に従って異なる色を表示し、及び、
該服飾の外表層の適する位置に一層の蛍光剤で形成した蛍光層を設置し、蛍光剤が光を吸収し該蛍光層が発光することを特徴とする感知式服飾。
【請求項６】
前記感光層は、異なる強度の紫外線を感知することを特徴とする請求項１もしくは２もしくは３記載の感知式服飾。
【請求項７】
前記感光層、温度感知層と蛍光層は、文字もしくは標識もしくは図形の各種図案で、立体図案でもよく、塗布もしくは貼着方式で成形することを特徴とする請求項１もしくは２もしくは３もしくは４もしくは５記載の感知式服飾。
【考案の詳細な説明】
【技術分野】
【０００１】
本考案は、一種の服飾に関するもので、特に感知式変色機能を具えた服飾に係わる。
【背景技術】
【０００２】
服飾は、体を保護したり、温める機能を具える他に、現代人にとっては個性を表現したり、個人の風格の象徴となっており、流行の変化、科学技術の進歩もしくは異なる地域文化の違いに係わらず、消費者は衣料デザインに対し、古今東西、各メーカーブランドが新しいデザインを常に市場に送り出し、市場での競争は非常に激しい。消費者が衣料を求める時の購入条件として、保護や保温の実用性だけを重視するのではなく、更にその衣料の雰囲気に個性があるかどうか、デザインが時代に合っているかどうかで決める。そのため、各有名メーカーではデザインを重視し、消費者の注意を集めることに努力する。
【０００３】
現在、特殊作業に従事する者に対して、業者ではその仕事上での要求及び安全面を考慮してデザインする。但し、消費者は新しいものを求める消費マインドがあり、実用的な服飾に流行が取り入れられれば大きな商機をつかむことが出来る。
【考案の開示】
【考案が解決しようとする課題】
【０００４】
解決しようとする問題点は、特殊作業者には実用性だけで、流行を取り入れた服飾がない点である。
【課題を解決するための手段】
【０００５】
本考案は、服飾、感光層及び温度感知層及び蛍光層を含む。該服飾の外表層の適する位置には温度感知層、蛍光層及び感光層を設置し、該感光層は異なる的光線強度を感知し、紫外線が高い時に警告情報を出す。該温度感知層は一種類以上の任意の色を具え、異なる臨界温度の変化に従って異なる色を表示し、温度の変化を知る。更に該蛍光層が光源を吸収して発光し、暗室もしくは夜間には図案の色彩が発光することを最も主要な特徴とする。
【考案の効果】
【０００６】
本考案の感知式服飾は、服飾の機能性及び質感を高め、製品の付加価値を向上させるという利点がある。
【考案を実施するための最良の形態】
【０００７】
一種の感知式服飾を提供し、服飾の外表層の適する位置に感光層、温度感知層及び蛍光層を設置し、服飾の機能性及び質感を高め、製品の付加価値を向上させることを本考案の主な目的とする。
【０００８】
上述の目的を達成するため、本考案「感知式服飾」は、服飾、感光層、温度感知層及び蛍光層を含む。該服飾の外表層の適する位置に、一層の感光剤で形成した感光層を設置し、該感光層には一種類以上の任意の色を設置し、異なる光線強度の変化に従って異なる色を表示し、該感光層もまた異なる強度の紫外線を感知する。
【０００９】
該服飾の外表層の適する位置には一層の温度感知剤で形成した温度感知層を設置し、その温度感知層には一種類以上の任意の色を設置し、異なる臨界温度の変化に従って異なる色を表示する。
【００１０】
該服飾の外表層の適する位置には別に一層の蛍光剤で形成した蛍光層を設置し、蛍光剤が光を吸収すると、該蛍光層が発光する。
【００１１】
該温度感知層、蛍光層及び感光層は、文字もしくは図柄もしくは各種図案で、立体造型でもよく、該服飾に実用性及び機能性を持たせる他に、より個性を具えた美感，及び輝きのある造型の質感を持たせる。
【実施例１】
【００１２】
本考案「感知式服飾」において、該服飾には光線強度を感知する感光層２、もしくは臨界温度を感知する温度感知層３、もしくは夜間もしくは暗闇の中で識別できる蛍光層４を設置する。当然必要に応じて以下の異なる構造の組み合わせをしてもよい。
服飾１に感光層２を設置する。
服飾１に感光層２及び温度感知層３を設置する。
服飾１に感光層２及び蛍光層４を設置する。
服飾１に温度感知層３を設置する。
服飾１に温度感知層３及び蛍光層４を設置する。
【００１３】
上述のとおり、本考案の第一種構造は図１に示し、一服飾１及び感光層２を含む。該服飾１の外表層１１の適する位置には一層の感光剤２１で形成した感光層２を設置し、該感光層２は塗布もしくは貼着方式で設置する。重要な点として、
【００１４】
該感光層２は、光線強度を感知する。その感光層２は一種類以上の任意の色を設置し、異なる的光線強度によって異なる色を表示し、該感光層２は紫外線を感知する。
【００１５】
本考案の服飾１は、衣服１２、靴下１３、裙子、帽子１４、手袋１５、マスク等物件である。また該感光層２、温度感知層３及び蛍光層４は文字もしくは図形の各種図案で成形され、立体造型でもよい。
【００１６】
実際に実施する時、図２の実施例１に示すとおり、該服飾の靴下１３はその適する位置に四個のハート型のそれぞれが四種類の任意の色の感光層２を設置する。四段階の異なる光線強度を感知し、紫外線が過剰に高くなった時、該ハート型図案が色の警告情報を表示する。
【実施例２】
【００１７】
また図３の実施例２に示すとおり、該服飾の帽子１４は、適する位置に四個の異なる色の立体星型造型の感光層２を設置し、四段階の異なる光線強度を感知する。光線強度が過剰に高くなると、該立体星型図案の色が警告情報を表示する。
【００１８】
本考案の第二種の構造は図４に示すとおり、服飾１、感光層２及び温度感知層３を含む。該服飾の外表層１１の適する位置には一層の感光剤２１で形成した感光層２を設置し、該感光層２が光線を感知する。同時に該服飾１の外表層１１の適する位置には一層の温度感知剤３１で形成した温度感知層３を設置し、該温度感知層３が温度を感知する。該感光層２及び温度感知層３は塗布もしくは貼着方式で形成される。重要な点として、
【００１９】
感光層２には一種類以上の任意の色を設置し、異なる光線強度の変化に従って異なる色を表示し、該感光層２は紫外線を感知する。更に別に該温度感知層３は一種類以上の任意の色を設置し、異なる臨界温度の変化に従って異なる色を表示する。
【実施例３】
【００２０】
図５の実施例３に示すとおり、該服飾は手袋１５で、その適する位置に四個の円形の感光層２を設置し、それぞれ四個は任意色とする。四段階の異なる光線強度を感知し、特に紫外線が過剰に強い時、円形図案色が警告情報を表示し、同時に該手袋１５の適する位置に英文単字図形の温度感知層３を設置し、その英文単字に六種の任意の異なる色を設置して六個の異なる範囲の臨界温度を感知する。
【００２１】
本考案の第三種構造は図６に示すとおり、服飾１、感光層２及び蛍光層４を含む。該服飾の外表層１１の適する位置には一層の感光剤２１で形成した感光層２を設置し、該感光層２が光線を感知する。同時に該服飾の外表層１１の適する位置に一層の蛍光剤４１で形成した蛍光層４を設置し、蛍光剤４１で光を吸収すると、該蛍光層４が発光する。該感光層２及び蛍光層４は塗布もしくは貼着方式で成形する。その重点として、
【００２２】
該感光層２は、一種類以上の任意の色を設置し、異なる光線強度の変化に従って異なる色を表示し、該感光層２は紫外線を感知する。更に蛍光剤４１が光を吸収することによって該蛍光層４が発光する。
【実施例４】
【００２３】
図７の実施例４に示すとおり、該服飾は靴下１３で、適する位置に四個のハート型で四種の任意の色の感光層２を設置し、四段階の異なる光線強度を感知する。紫外線が高くなった時、該ハート型図案の色は警告情報を表示する。同時に該ハート型の外周はすべて一蛍光層４を設置し、該蛍光層４が光源を吸収すると、夜間もしくは暗い室内に於いて該蛍光層４が光を放ち、光り輝く造型を浮かび上がらせる。
【００２４】
本考案の第四種構造は図８に示すとおり、服飾１及び温度感知層３を含む。該服飾１の外表層１１の適する位置には一層の温度感知剤３１で形成した温度感知層３を設置し、該温度感知層３は塗布もしくは貼着方式で成形する。
【００２５】
重要な点として、該温度感知層３は温度を感知し、その温度感知層３には一種類以上の任意の色を設置し、異なる臨界温度の変化に従って異なる色を表示する。
【実施例５】
【００２６】
図９の実施例５に示すとおり、該服飾１は衣服１２でその適する位置に一花型の温度感知層３を設置し、その温度感知層３には五個の花弁を設置し、五色の色に分かれ、五個の異なる臨界温度範囲を感知する。
【００２７】
本考案の第五種構造は図１０に示すとおり、服飾１、温度感知層３及び蛍光層４を含む。該服飾１の外表層１１の適する位置には一層の温度感知剤３１で形成した温度感知層３を設置し、該温度感知層３で温度を感知する。同時に該服飾の外表層１１の適する位置には一層の蛍光剤４１で形成した蛍光層４を設置し、該温度感知層３及び蛍光層４は塗布もしくは貼着方式で成形する。その重点として、
【００２８】
該温度感知層３は、一種類以上の任意の色を設置し、異なる臨界温度の変化に従って異なる色を表示する。更に蛍光剤４１が光を吸収すると、該蛍光層４が発光する。
【実施例６】
【００２９】
図１１の実施例６に示すとおり、該服飾１は、衣服１２で、その適する位置に三個のハート型の温度感知層３を設置し、三種類の任意の色とし、三個の異なる臨界温度範囲を感知する。同時に該服飾１の適する位置には文字図形の蛍光層４を設置し、該蛍光層４が光源を吸収すると、在夜間もしくは暗室内に於いて、該文字蛍光層４が発光する。
【実施例７】
【００３０】
図１２の第七実施例に示すとおり、該服飾１は、衣服１２で、その適する位置に四個の任意の異なる色のハート型の温度感知層３を設置し、四個異なる範囲の臨界温度を感知する。同時に該ハート型の外周はすべて蛍光層４を設置し、該蛍光層４が光源を吸収すると、夜間もしくは暗室内に於いて、該蛍光層４が発光し、光り輝く効果を達成する。
【００３１】
上述のとおり、本考案では別の温度感知に依って色が変化する服飾を提供し、実用新案を請求する。但し、以上の実施説明及び図式に示すのは、本考案の良好な実施例であり、本考案を制限するものではなく、本考案の構造、装置、特徴等と近似、雷同するものは、すべて本考案の創作目的及び請求範囲内に属する。
【図面の簡単な説明】
【００３２】
【図１】本考案の感知式服飾の構造指示図である。
【図２】本考案の感知式服飾を衣服に応用した指示図である。
【図３】本考案の感知式服飾を帽子に応用した指示図である。
【図４】本考案の感知式服飾のその構造指示図である。
【図５】本考案の感知式服飾の衣服に応用した別の指示図である。
【図６】本考案の感知式服飾を更に別の衣類に応用した衣服指示図である。
【図７】本考案の感知式服飾の別の構造を塗布した指示図である。
【図８】本考案の感知式服飾を靴下に応用した指示図である。
【図９】本考案の感知式服飾の更に別の構造を塗布した指示図である。
【図１０】本考案の感知式服飾を手袋に応用した指示図である。
【図１１】本考案の感知式服飾の別の構造を塗布した指示図である。
【図１２】本考案の感知式服飾を靴下に応用した別の指示図である。
【符号の説明】
【００３３】
１        服飾
１１        外表層
１２        衣服
１３        靴下
１４        帽子
１５        手袋
２        感光層
２１        感光剤
３        温度感知層
３１        温度感知剤
４        蛍光層
４１        蛍光剤
【図１】
0003148125.tif 000003
【図２】
0003148125.tif 000004
【図３】
0003148125.tif 000005
【図４】
0003148125.tif 000006
【図５】
0003148125.tif 000007
【図６】
0003148125.tif 000008
【図７】
0003148125.tif 000009
【図８】
0003148125.tif 000010
【図９】
0003148125.tif 000011
【図１０】
0003148125.tif 000012
【図１１】
0003148125.tif 000013
【図１２】
0003148125.tif 000014